(57)【要約】  スイッチ素子及び光源を収納し、シェル部の上表面から突出する１つ以上の開口部を有すシェル部と、前記開口部を覆うように設けられ、前記開口部に沿って上下移動し得るボタン部と、前記ボタン部の外側を取り囲み、前記シェル部の上表面に設置されるパネル部とを含む照光式押しボタンスイッチが提供され、上面視において前記パネル部と前記ボタン部との間に隙間が存在し、前記シェル部の前記上表面が前記ボタン部の上下移動方向に直交する平面に沿って延伸し、前記上表面のうち、前記隙間の下方に位置する箇所に前記上表面と所定角度を成す斜面部が形成され、前記上下移動方向に沿う前記斜面部の高さが前記ボタン部側から前記パネル部側へ次第に減少する。
2020090910.tif 000002
【特許請求の範囲】
【請求項１】
照光式押しボタンスイッチであって、
スイッチ素子及び光源を収納し、シェル部の上表面から突出する１つ以上の開口部を有すシェル部と、
前記開口部を覆うように設けられ、前記開口部に沿って上下移動し得るボタン部と、
前記ボタン部の外側を取り囲み、前記シェル部の上表面の上に設置されるパネル部と、を含み、
上面視において、前記パネル部と前記ボタン部との間に隙間が存在し、
前記シェル部の前記上表面が前記ボタン部の上下移動方向に直交する平面に沿って延伸し、前記上表面のうち、前記隙間の下方に位置する箇所に前記上表面と所定角度を成す斜面部が形成され、
前記上下移動方向に沿う前記斜面部の高さが前記ボタン部側から前記パネル部側へ次第に減少する、照光式押しボタンスイッチ。
【請求項２】
請求項１に記載の照光式押しボタンスイッチであって、
前記パネル部及び前記シェル部は、不透光性材料を成形することにより形成される、照光式押しボタンスイッチ。
【請求項３】
請求項１に記載の照光式押しボタンスイッチであって、
上面視において、前記斜面部は、前記開口部を取り囲むように形成され、前記斜面部の少なくとも一部は、前記隙間の真下に位置する、照光式押しボタンスイッチ。
【請求項４】
請求項３に記載の照光式押しボタンスイッチであって、
前記隙間は、前記ボタン部の外側壁と、前記外側壁に対向する前記パネル部の内側壁との間に存在し、
前記外側壁及び前記内側壁の断面視において、前記斜面部と、前記上表面との間の夾角を第一夾角とし、前記外側壁の最下端を経由して前記内側壁に接する接線の方向と、前記上表面に垂直な垂線方向との間の夾角を第二夾角とする場合、前記第一夾角は、前記第二夾角以上である、照光式押しボタンスイッチ。
【請求項５】
請求項１に記載の照光式押しボタンスイッチであって、
前記斜面部は、前記上表面から突出する、照光式押しボタンスイッチ。
【請求項６】
請求項１に記載の照光式押しボタンスイッチであって、
前記斜面部は、前記上表面から窪む、照光式押しボタンスイッチ。
【請求項７】
請求項１〜６のうちの何れか１項に記載の照光式押しボタンスイッチであって、
前記斜面部は、前記シェル部と一体成形される、照光式押しボタンスイッチ。
【発明の詳細な説明】
【技術分野】
【０００１】
本発明は、押しボタンの内部に設けられる光源により押しボタンの頂部に対して照光する照光式押しボタンスイッチに関する。
【背景技術】
【０００２】
近年、発光ダイオード（ＬＥＤ）光源が広く用いられるようになるにつれて、多くの電子機器の押しボタンスイッチは、照光式押しボタンスイッチを採用している。自動車の内装加飾の分野では、例えば、車窓操作パネル部の押しボタン、中央操作パネル部の押しボタンなどに照光式押しボタンスイッチを使用する場合が多い。【０００３】
以下、図１〜図３に基づいて従来の照光式押しボタンスイッチ９００について説明する。【０００４】
図１は、従来の照光式押しボタンスイッチ９００を示す斜視図である。図２は、従来の照光式押しボタンスイッチ９００を構成する各部品を示す分解斜視図である。【０００５】
図１に示すように、照光式押しボタンスイッチ９００は、２つの照光式のボタン部９０１を含み、２つのボタン部９０１は、一列に並んでシェル部９０２の上に設置される。また、シェル部９０２の上には、パネル部９０３がさらに設けられ、該パネル部９０３は、周囲から２つのボタン部９０１を取り囲み、パネル部９０３とボタン部９０１との間には、所定の隙間が存在する。【０００６】
図２に示すように、シェル部９０２は、シェル部９０２の上表面から突出する複数の開口部９０４を有し、複数のボタン部９０１は、それぞれ、複数の開口部９０４を覆うように設けられ、且つ開口部９０４に沿って上下移動することができる。パネル部９０３は、例えば、係止する方式でシェル部９０２の上表面の上に設置される。また、シェル部９０２の、下方に面して開口する空間には、ほぼ平板状のゴム部品９０５、回路基板９０６及びボトムカバー９０７がこの順に収納される。回路基板９０６には、２つのボタン部９０１に対応してそれぞれ２つの光源９０９が設けられる。【０００７】
図３は、図１における平面Ａの沿った断面図である。図３に示すように、ボタン部９０１は、透光性材料により形成され、ほぼ逆Ｕ字型の操作部９０１ａ及び操作部９０１ａから下方へ延伸して形成されるスライド壁９０１ｂを含む。ボタン部９０１の操作部９０１ａの表面のほぼ全面には、遮光層９１０が形成される。また、レーザー加工等の技術を用いて遮光層９１０の一部を除去することにより、操作部９０１ａには、数字、文字、図形などのパターン（非図示）がさらに設けられるが、これらのパターン（非図示）は、その上に遮光層９１０が形成されないので、光源９０９からの光を透過することができる。【０００８】
また、図３に示すように、光源９０９が発光するときに、一部の光Ｌ１が操作部９０１ａの表面へ出射しパターン（非図示）を透過して照光式押しボタンスイッチ９００の外部へと射出し、一部の光Ｌ２が遮光層９１０により吸収され、遮光層９１０により吸収されない他の一部の光Ｌ３が遮光層９１０及びシェル部９０２の上表面９１２により反射された後にパネル部９０３とボタン部９０１との間の隙間から射出する。【０００９】
しかし、パネル部９０３とボタン部９０１との間から射出する光（光漏れ）が所定の値を超える場合、照光式押しボタンスイッチ９００全体の美観性に影響を与えることがある。
【発明の概要】
【発明が解決しようとする課題】
【００１０】
本発明は、このような従来技術の問題点に鑑みてなされたものであり、その目的は、パネル部とボタン部との光漏れを軽減し得る照光式押しボタンスイッチを提供することにある。
【課題を解決するための手段】
【００１１】
上記課題を解決するために本発明の一側面では、照光式押しボタンスイッチが提供され、該照光式押しボタンスイッチは、スイッチ素子及び光源を収納するシェル部であって、前記シェル部の上表面から突出する１つ以上の開口部を有するシェル部；前記開口部を覆うように設置され、前記開口部に沿って上下移動し得るボタン部；及び、前記ボタン部の外側を取り囲み、前記シェル部の上表面の上に設けられるパネル部を有し、上面視において前記パネル部と前記ボタン部との間には、隙間が存在し、前記シェル部の前記上表面は、前記ボタン部の上下移動方向に直交する平面に沿って延伸し、前記上表面では、前記隙間の下方に位置する箇所において前記上表面と所定角度を成す斜面部が形成され、前記上下移動方向に沿う前記斜面部の高さは、前記ボタン部側から前記パネル部側へ次第に減少する。【００１２】
上記照光式押しボタンスイッチの構成により、ボタン部の遮光層により反射された後の光がシェル部の上表面へ出射するときに、これらの光は、前記斜面部により反射された後に、パネル部とボタン部との間の隙間でなく、パネル部の内側壁へ出射する。言い換えると、このような斜面部を設置することで、元々パネル部とボタン部との間の隙間から漏れるはずである光の出射方向がパネル部側に傾くようにさせ、このような光がパネル部の内側壁により複数回反射された後に、前記隙間から射出する光を大幅に減少させることができる。これにより、パネル部とボタン部との間の隙間からの光漏れを大幅に軽減し、照光式押しボタンスイッチの美観性を向上させることができる。【００１３】
また、上記照光式押しボタンスイッチでは、前記パネル部及び前記シェル部は、不透光性材料を成形することにより形成される。【００１４】
上記照光式押しボタンスイッチの構成により、光源からの光がパネル部又はシェル部を透過して漏れることを防止できる。また、斜面部により反射された後にパネル部へ出射する光が不透光材料の内側壁により複数回反射され、反射される度に一部の光が吸収されるので、パネル部とボタン部との間の隙間から射出する光をさらに減少させることができる。【００１５】
また、上記照光式押しボタンスイッチでは、上面視において、前記斜面部は、前記開口部を取り囲むように形成され、前記斜面部の少なくとも一部が前記隙間の真下に位置する。【００１６】
パネル部とボタン部との間の隙間から漏れる光の大部分が該隙間の真下に位置するシェル部の上表面の一部により反射された後に該隙間から直接射出するため、斜面部を隙間の真下に位置する箇所に配置することで、反射光をより有効に斜めに出射させ、パネル部とボタン部との間の隙間からの光漏れをより確実に低減することができる。【００１７】
また、上記照光式押しボタンスイッチでは、前記隙間が前記ボタン部の外側壁と、該外側壁に対向する前記パネル部の内側壁との間に存在し、前記外側壁及び前記内側壁の断面視において、前記斜面部と、前記上表面との間の夾角を第一夾角とし、前記外側壁の最下端を経由して前記内側壁に接する直線（接線）の方向と、前記上表面に垂直な垂線方向との間の夾角を第二夾角とする場合、第一夾角は、第二夾角以上である。【００１８】
斜面部が設置されない場合、シェル部の上表面により反射された後に隙間から直接射出し得る光束のうち、反射角が最大である光束（以下、「最大反射角光束」ともいう）が、ボタン部の外側壁の最下端を経由してパネル部の内側壁に接する直線（接線）の方向における光束（「最大射出角光束」ともいう）である。光束の反射角が最大反射角光束の反射角（「最大反射角」ともいう）以下であれば、光束は隙間から射出する可能性がある。逆に、光束の反射角が最大反射角光束の反射角よりも大きい場合、光束は隙間から射出することができない。【００１９】
斜面部が設置されており、且つ第一夾角が第二夾角以上である場合、幾何学的関係から分かるように、ボタン部側からの光束が斜面部により反射されるときに反射角が増加する角度が最大反射角以上であるから、これらの光束の反射角は、必ず最大反射角よりも大きい。そのため、ボタン部側から来た、且つ斜面部により反射された後の光束は、隙間から直接射出することができない。これにより、反射光を隙間以外の不透光領域へ最大限に反射することができる。【００２０】
また、上記照光式押しボタンスイッチでは、前記斜面部は、前記上表面から突出し、又は、前記上表面から窪む。【００２１】
これにより、シェル部の上表面の壁厚が不足している場合、前記斜面部は、上表面から突出する突起形状になるように設けられても良く、シェル部の上表面の壁厚が十分である場合、上表面から窪む凹陥形状になるように設置されても良い。また、突起形状の斜面部を設けると、ボタン部の下端との干渉が生じ、ボタン部のスライディングに影響を及ぼす場合がある。このような場合、斜面部を凹陥形状に形成することが好ましい。【００２２】
また、上記照光式押しボタンスイッチでは、前記斜面部は、前記シェル部と一体成形される。【００２３】
これにより、シェル部を形成すると同時に前記斜面部を形成することもできるので、加工プロセスの複雑化を引き起こすことがない。
【発明の効果】
【００２４】
本発明の一側面による照光式押しボタンスイッチは、パネル部とボタン部との間の隙間からの光漏れを大幅に軽減することができ、照光式押しボタンスイッチの美観性を向上させることができる。
【図面の簡単な説明】
【００２５】
【図１】従来の照光式押しボタンスイッチの外観を示す斜視図である。
【図２】従来の照光式押しボタンスイッチの各部品を示す分解斜視図である。
【図３】図１における平面Ａを沿った断面図である。
【図４】一実施例における照光式押しボタンスイッチの外観を示す斜視図である。
【図５】一実施例における照光式押しボタンスイッチの上面図である。
【図６】一実施例における照光式押しボタンスイッチの各部品を示す分解斜視図である。
【図７】一実施例におけるシェル部の上面図である。
【図８】図７における平面Ｂに沿った断面図である。
【図９】図４及び図５における平面Ｂに沿って断面図である。
【図１０】図９における領域Ｃの拡大図である。
【図１１】斜面部１２０が設けられない場合の光束の伝播経路図である。
【図１２】所定角度θ１の斜面部１２０が設置されているときの光束の伝播経路図である。
【図１３】変形例におけるシェル部の上面図である。
【図１４】図１３における平面Ｂに沿った断面図である。
【発明を実施するための形態】
【００２６】
以下、添付した図面を参照しながら発明を実施するための好適な形態を詳細に説明する。
【００２７】
＜実施例＞
図４〜図１２に基づいて本実施例を以下に詳しく説明する。
【００２８】
まず、図４〜図５を用いて本実施例における照光式押しボタンスイッチ１００全体の構成を説明する。
【００２９】
図４は、本実施例における照光式押しボタンスイッチ１００の外観を示す斜視図であり、図５は、本実施例における照光式押しボタンスイッチ１００の上面図であり、図６は、本実施例における照光式押しボタンスイッチ１００の各部品を示す分解斜視図である。なお、実際に本実施例における照光式押しボタンスイッチ１００の外観が図１に示す従来の照光式押しボタンスイッチ９００の外観と同じであるが、説明の便宜のため、図面における照光式押しボタンスイッチ１００の符号は、従来の照光式押しボタンスイッチ９００とは異なる符号を使用する。
【００３０】
図４に示すように、照光式押しボタンスイッチ１００は、２つの独立したボタン部１０１を含み、２つのボタン部１０１は、一列に並んでシェル部１０２の上に設置される。また、シェル部１０２の上には、パネル部１０３がさらに設けられ、該パネル部１０３は、周囲から２つのボタン部１０１を取り囲む。
【００３１】
図５に示すように、上面視において、２つのボタン部１０１の外周縁は、四角形状（「ほぼ四角形状」ともいう）になるように形成され、パネル部１０３は、２つのボタン部１０１を取り囲んでほぼ四角形状の帯状に形成され、パネル部１０３の内周縁と、ボタン部１０１の外周縁との間には、所定の隙間Ｓが存在する。また、互いに独立した各ボタン部１０１の間にも、所定の隙間が存在する。
【００３２】
ボタン部１０１は、透光性合成樹脂により形成され、図６に示すように、各ボタン部１０１は、手指操作用の操作部１０４及び操作部１０４から下方に延伸して成す延伸部１０５を有する。
【００３３】
シェル部１０２は、不透光性合成樹脂からなり、図６に示すように、一体成形されるベース部１０６及び凸台部１０７を有し、凸台部１０７は、ベース部１０６の上方に突出する。
【００３４】
ベース部１０６は、下方に向けて開口するカバー形状に形成され、ベース部１０６の内部には、上から下へ順にほぼ平板状のゴム部品１０８、回路基板１０９及びボトムカバー１１０が収納される。
【００３５】
凸台部１０７は、パネル部１０３の真下に位置し、上面視においてほぼ四角形状の形状を有する。凸台部１０７は、側壁１１１及び頂壁１１２からなり、頂壁１１２には、頂壁１１２から突出し、且つ上下方向に延伸する２つの開口部１１３が設置される。上下方向において、２つのボタン部１０１は、それぞれ、２つの開口部１１３に相対する。
【００３６】
また、パネル部１０３は、不透光性合成樹脂からなり、図６に示すように、パネル部１０３の側壁には、下方に延伸するほぼ扉状の係止部１１４が複数設けられ、凸台部１０７の側壁１１１には、複数の係止部１１４に対応して複数の係止突起１１５が設置される。図４に示すように、係止機構としての係止部１１４及び係止突起１１５が互いに係止する状態で、パネル部１０３とシェル部１０２とを組み立てることができる。
【００３７】
また、図６に示すように、回路基板１０９には、２つのボタン部１０１に対応して２つのスイッチ素子１１６及び２つのほぼ直方体の光源１１７がそれぞれ設置される。ゴム部品１０８には、２つのスイッチ素子１１６に対応して、上方に突起する錐台状の可動接点１１８が２つ設けられ、また、２つの光源１１７に対応して、上方に突起するほぼ直方体の光源カバー１１９が２つ設置される。
【００３８】
回路基板１０９及びゴム部品１０８は、合成樹脂製のボトムカバー１１０の上に順次積層され、ボトムカバー１１０は、ベース部１０６を下方から封止し、ボトムカバー１１０とベース部１０６との間は、図示されないネジにより固定される。
【００３９】
次に、図７及び図８を用いてシェル部１０２の構造についてさらに説明する。図７は、シェル部１０２の上面図であり、図８は、図７における平面Ｂに沿った断面図である。
【００４０】
図８に示すように、凸台部１０７の頂壁１１２の上表面は、ボタン部１０１の上下移動方向に直交する平面（「水平面」ともいう）に沿って延伸し、頂壁１１２の上表面には、水平面と所定角度を成す斜面部１２０が形成されている。斜面部１２０は、水平面に対して傾いて設けられており、前記上下移動方向に沿う斜面部１２０の高さは、開口部１１３側から頂壁１１２の周縁側（側壁１１１側）へ次第に減少する。
【００４１】
図７に示すように、斜面部１２０は、２つの開口部１１３を取り囲むようにほぼ四角形状の帯状に形成される。斜面部１２０は、開口部１１３に接触せず、両者の間には、所定の隙間が存在する。
【００４２】
続いて、図９及び図１０を用いて、本実施例における照光式押しボタンスイッチ１００の内部構造及び光源１１７からの光束の伝播経路について詳細に説明する。図９は、図４における平面Ｂに沿った断面図である。図１０は、図９における領域Ｃの拡大図である。
【００４３】
図９に示すように、延伸部１０５は、下方に向けて開口するほぼ桶状の形状に形成され、延伸部１０５の外側壁１０５ａは、開口部１１３の内側壁１１３ａの少なくとも一部と互いに接触し、且つ開口部１１３の開口方向（上下方向）に沿って相対的にスライドすることができる。これにより、ボタン部１０１は、上下にスライドすることができる。
【００４４】
光源１１７は、延伸部１０５の真下に位置し、正確に言えば、延伸部１０５を真下に投影することにより回路基板１０９において形成される投影領域の内部に位置する。
【００４５】
また、図９に示すように、操作部１０４は、ほぼ平坦な頂壁１２３、及び頂壁１２３の周縁から下方に延伸する外側壁１２４を有する。ボタン部１０１は、その操作部１０４の操作面側の表面のほぼ全面に遮光層１０４ａが形成される。また、レーザー加工等の技術を用いて遮光層１０４ａの一部を除去することにより、操作部１０４の表面には、例えば、１、２、３などの数字、図形などのパターン（非図示）が形成され、これらのパターン（非図示）の位置には、遮光層１０４ａが形成されない。
【００４６】
図９では、さらに、光源１１７からの光束の伝播経路も示されている。光源１１７が発光するときに、一部の光Ｆ１は、操作部１０４の表面へ出射しパターン（非図示）を経由して射出し、一部の光Ｆ２は、遮光層１０４ａにより吸収される。また、遮光層１０４ａにより吸収されない他の一部の光Ｆ３は、遮光層１０４ａ及び凸台部１０７の頂壁１１２の上表面により反射された後に、ボタン部１０１に相対するパネル部１０３の内側壁１２６へ出射する。
【００４７】
図１０は、図９における領域Ｃの拡大図である。図１０に示すように、パネル部１０３とボタン部１０１との間の隙間Ｓは、ボタン部１０１の操作部１０４の外側壁１２４と、パネル部１０３の内側壁１２６との間に位置する。詳細に言えば、ボタン部１０１に相対するパネル部１０３の内側壁１２６には、ボタン部１０１側へ突起する凸縁１２６ａが形成され、上方から観察するときに、パネル部１０３とボタン部１０１との間の隙間Ｓとは、外側壁１２４と凸縁１２６ａとの間の隙間を指す。言い換えると、本実施例における隙間Ｓは、上方から観察した、パネル部１０３とボタン部１０１との間の最短距離である。
【００４８】
また、斜面部１２０は、凸台部１０７の頂壁１１２の上表面のうち、隙間Ｓの下方に位置する箇所に形成される。言い換えると、頂壁１１２の上表面のうちの一部が斜面部１２０になる。斜面部１２０の少なくとも一部が隙間Ｓの真下に位置する。斜面部１２０は、頂壁１１２の上表面から突出し、その高さは、ボタン部１０１側からパネル部１０３側へ次第に減少する。パネル部１０３側に近い斜面部１２０の端部は、頂壁１１２の上表面に接続され、ボタン部１０１側に近い斜面部１２０の端部は、操作部１０４の外側壁１２４の真下に位置している。
【００４９】
図１０に示すように、遮光層１０４ａにより吸収されない他の一部の光Ｆ３は、遮光層１０４ａにより反射された後に頂壁１１２の上表面へ出射する。頂壁１１２の上表面に斜面部１２０が設置されているため、斜面部１２０により反射された後の光Ｆ３は、出射方向がパネル部１０３側に傾くため、パネル部１０３の内側壁１２６へ出射する。
【００５０】
以下、図１１〜図１２を用いて斜面部１２０の所定角度について説明する。
【００５１】
図１１は、斜面部１２０が設置されない場合の光束の伝播経路図である。説明の便宜のため、図１１には、ボタン部１０４、パネル部１０３及び頂壁１１２の三者間の位置関係のみが示されている。
【００５２】
斜面部１２０が設置されない場合、頂壁１１２の上表面により反射された後に隙間Ｓから直接射出し得る光束のうち、反射角が最大である光束（「反射角最大光束」ともいう）が、ボタン部１０４の外側壁１２４の最下端を経由してパネル部１０３の内側壁１２６に接する直線（接線）の方向における光束（「最大反射角光束」ともいう）である。図１１に示すように、最大反射角光束Ｆ３'の、頂壁１１２の上表面における反射角（「最大反射角」ともいう）は、２θである。θは、最大反射角光束Ｆ３'の射出方向と、頂壁１１２の上表面に垂直な垂直線の方向（上下方向）との間の夾角（第二夾角）である。最大反射角光束Ｆ３'に比べ、光束の反射角が２θ以下の場合、光束は、隙間Ｓから直接射出する可能性がある。逆に、光束の反射角が２θよりも大きい場合、光束は、隙間Ｓから直接射出することがなく、外側壁１２４の下端又は内側壁１２６へ出射するようになる。
【００５３】
図１２は、所定角度φの斜面部１２０が設けられているときの光束の伝播経路図である。説明の便宜のため、図１２には、ボタン部１０４、パネル部１０３及び頂壁１１２の三者間の位置関係のみが示される。
【００５４】
所定角度φの斜面部１２０が設置されている場合、幾何学的関係から分かるように、ボタン部１０１側からの光束Ｆ３が斜面部１２０により反射されるときに反射角が２φ増加する。所定角度φとは、斜面部１２０と、頂壁１１２の上表面（即ち、水平面）との間の夾角（第一夾角）である。図１２における光束Ｆ３の入射角が図１１における光束Ｆ３'の入射角と同じであるとすれば、幾何学的関係によれば、斜面部１２０における光束Ｆ３の反射角は、２θ+２φに等しい。
【００５５】
第一夾角φが第二夾角θ以上であると設定する場合、ボタン部１０１側からの光束Ｆ３が斜面部１２０により反射されるときに反射角が増加する角度が最大反射角２θ以上であるので、これらの光束の反射角は、必ず最大反射角２θよりも大きい。よって、ボタン部１０１側から来た、且つ斜面部１２０により反射された後の光束は、隙間から直接射出することができない。これにより、反射光Ｆ３を隙間Ｓ以外の不透光領域（外側壁１２４の下端又は内側壁１２６）へ最大限に反射することができる。
【００５６】
以下、本実施例が奏する効果について説明する。
【００５７】
上述のような照光式押しボタンスイッチ１００の構成により、ボタン部１０１の遮光層１０４ａにより反射された後の光Ｆ３がシェル部１０２の上表面へ出射するときに、これらの光Ｆ３は、高さがボタン部１０１側からパネル部１０３側へ次第に減少する斜面部１２０により反射された後に、パネル部１０３とボタン部１０１との間の隙間Ｓでなく、パネル部１０３の内側壁１２６へ出射する。言い換えると、このような斜面部１２０を設定することで、元々パネル部１０３とボタン部１０１との間の隙間Ｓから漏れるはずである光の出射方向がパネル部１０３側に傾くようになり、このような光がパネル部１０３の内側壁１２６により複数回反射された後に、隙間Ｓから射出する光を大幅に減少させることができる。これにより、パネル部１０３とボタン部１０１との間の隙間Ｓから漏れる光束Ｆ３を大幅に減少させ、照光式押しボタンスイッチ１００の美観性を向上させることができる。
【００５８】
また、上述のような照光式押しボタンスイッチ１００の構成により、パネル部１０３及びシェル部１０２は、不透光性材料を成形することにより形成されるため、光源１１７からの光がパネル部１０３又はシェル部１０２を透過して漏れることを防止できる。また、斜面部１２０により反射された後にパネル部１０３へ出射する光が不透光性材料の内側壁１２６により複数回反射され、反射される度に一部の光が吸収されるので、パネル部１０３とボタン部１０１との間の隙間Ｓから射出する光をさらに減少させることができる。
【００５９】
また、パネル部１０３とボタン部１０１との間の隙間Ｓから漏れる光の大部分が該隙間Ｓの真下に位置するシェル部１０２の上表面の一部により反射された後に該隙間Ｓから直接射出するから、斜面部１２０を隙間Ｓの真下の箇所に配置することで、反射光をより有効に斜めに出射させ、パネル部１０３とボタン部１０１との間の隙間Ｓからの光束Ｆ３の漏れをより確実に低減することができる。
【００６０】
また、斜面部１２０が設置されており、且つ第一夾角φが第二夾角θ以上である場合、幾何学的関係から分かるように、ボタン部１０１側からの光束Ｆ３が斜面部１２０により反射されるときに反射角が増加する角度が最大反射角２θ以上であるため、これらの光束Ｆ３の反射角は、必ず最大反射角２θよりも大きい。よって、ボタン部１０１側から来た、且つ斜面部１２０により反射された後の光束Ｆ３は、隙間Ｓから直接射出することができない。これにより、反射光を隙間Ｓ以外の不透光領域へ最大限に反射することができる。
【００６１】
また、上述のような照光式押しボタンスイッチ１００により、斜面部１２０は、シェル部１０２と一体成形される。これにより、シェル部１０２を形成すると同時に斜面部１２０を形成することもでき、加工プロセスの複雑化を引き起こすことがない。
【００６２】
＜変形例＞
上述の実施例は、好適な実施例であるが、本発明は、このような実施例に限定されず、本発明の趣旨を離脱しない限り、本発明に対するあらゆる変更は本発明の技術的範囲に属する。
【００６３】
上述のような照光式押しボタンスイッチ１００では、斜面部１２０は、シェル部１０２の頂壁１１２の上表面から突出するように形成されるが、これに限られない。図１３及び図１４に示すように、本変形例では、斜面部１２８がシェル部１０２の頂壁１１２の上表面から窪むように形成されても良い。
【００６４】
これにより、頂壁１１２の上表面の壁厚が不足している場合、斜面部は、頂壁１１２の上表面から突出する突起形状になるように設けられても良く（図７及び図８参照）、頂壁１１２の上表面の壁厚が十分である場合、頂壁１１２の上表面から窪む凹陥形状になるように設けられても良い（図１３及び図１４参照）。
【００６５】
また、突起形状の斜面部１２０を設置すると、ボタン部１０１の外側壁１２４の下端との干渉が発生し、ボタン部１０１のスライディングに影響を与える場合がある。このような場合に、凹陥形状の斜面部１２８を設けることが望ましい。
【００６６】
さらに、ボタン部１０１側に近い斜面部１２０の端部と開口部１１３とを直接接続し、且つパネル部１０３側に近い斜面部１２０の端部と凸台部１０７の側壁１１１とを直接接続しても良い。言い換えれば、凸台部１０７の上表面全体が斜面部１２０になるようにさせても良い。
【００６７】
また、ボタン部１０１が透光性材料からなるが、実際には、ボタン部１０１が不透光性材料からなっても、斜面部１２０を設置することで、隙間Ｓからの光漏れをある程度軽減することもできる。
【００６８】
本出願は、２０１８年１０月３１日に中国国家知識産権局に出願された中国特許出願第２０１８１１２８４４１７．Ｘ号明細書に基づく優先権を主張するものであり、中国特許出願第２０１８１１２８４４１７．Ｘ号明細書の全内容を本国際出願に援用する。
【符号の説明】
【００６９】
１００  照光式押しボタンスイッチ
１０１  ボタン部
１０２  シェル部
１０３  パネル部
１０４  操作部
１０４ａ  遮光層
１０５  延伸部
１０５ａ  延伸部の外側壁
１０６  ベース部
１０７  凸台部
１０８  ゴム部品
１０９  回路基板
１１０  ボトムカバー
１１１  側壁
１１２  頂壁
１１３  開口部
１１３ａ  開口部の内側壁
１１４  係止部
１１５  係止突起
１１６  スイッチ素子
１１７  光源
１１８  可動接点
１１９  光源カバー
１２０、１２８  斜面部
１２３  頂壁
１２４  外側壁
１２６  内側壁
１２６ａ  内側壁の凸縁
Ｓ  隙間
φ  第一夾角
θ  第二夾角
【図１】
2020090910.tif 000003
【図２】
2020090910.tif 000004
【図３】
2020090910.tif 000005
【図４】
2020090910.tif 000006
【図５】
2020090910.tif 000007
【図６】
2020090910.tif 000008
【図７】
2020090910.tif 000009
【図８】
2020090910.tif 000010
【図９】
2020090910.tif 000011
【図１０】
2020090910.tif 000012
【図１１】
2020090910.tif 000013
【図１２】
2020090910.tif 000014
【図１３】
2020090910.tif 000015
【図１４】
2020090910.tif 000016
【国際調査報告】
2020090910.tif 000017
2020090910.tif 000018